(57)【特許請求の範囲】
【請求項１】
水を受ける水受け凹部及びこの水受け凹部に臨む排水口を有する手洗器本体と、
前記排水口を覆い、前記水受け凹部との間に隙間を空けた状態で、手洗器本体に取り付けられる覆体とを有するとともに、
前記覆体は、その頂部に頂部形成凹部を有し、
この頂部形成凹部には、前記覆体を前記水受け凹部に対して回転可能に取り付けるための取付治具が設けられ、前記覆体の裏面には、覆体と前記水受け凹部との間の空間に位置し、前記水受け凹部に当接しつつ覆体の回転に応じて回転するスクレーパを有することを特徴とする手洗器。
【請求項２】
前記覆体は、覆鉢形状をしており、この覆体を前記手洗器本体に取り付けたときの下縁と前記手洗器本体の水受け面との間に前記隙間が形成され、この隙間を経由して、前記水が前記排水口に流れることを特徴とする請求項１に記載の手洗器。
【請求項３】
前記覆体には、覆体を回転させるための把手を有することを特徴とする請求項１又は２に記載の手洗器。
【請求項４】
前記覆体は、その表面に多数の小穴が形成され、この小穴を経由して、前記水が、前記排水口に流れることを特徴とする請求項１〜３のいずれか１項に記載の手洗器。
【発明の詳細な説明】
【技術分野】
【０００１】
本発明は、手洗器に関する。
【背景技術】
【０００２】
公園その他公衆の場における水飲み場には、洗面ボールその他の手洗器を設置してある。
【０００３】
手洗器は、公衆の場の利用者であれば、誰でも利用できるが、利用者の中には、一時的であっても、手洗器を占有的に利用する者がいる。
【０００４】
そのような者は、手洗器の栓を閉じて貯水をし、貯水した水を、例えばペットの水浴びに利用したり、浴用に利用したりする。
【０００５】
しかし、このように一部の者だけの便宜を図るために公衆の設備が設けられているわけではない。
【０００６】
そこで、このような不心得者の利用を排除するための対策として、例えば、手洗器の排水口を閉塞する栓の除去が考えられる。また、ポップアップ式の栓を用いた手洗器であれば、栓による排水口の開閉用操作レバーを栓のできない箇所で固定して、排水口を常に開いた状態とし、手洗器に貯水できないようにすることが考えられる。
【特許文献１】特開昭４８−１２１６８号公報
【発明の開示】
【発明が解決しようとする課題】
【０００７】
ところが、栓を取り払っても、取り払った栓と同じ市販の栓を購入してこれを適用すれば、これまでと同様、不謹慎な利用は可能である。また、操作レバーを固定しても、無理やりに固定を解除すれば、やはり不心得者による利用は再開されてしまう。
【０００８】
本発明は、上記事情に鑑みて発明されたものであって、その解決しようとする課題は、排水口をむやみに閉塞することを防止し、手洗器への貯水を簡単にできなくする技術を提供することにある。
【課題を解決するための手段】
【０００９】
そこで、本発明の手洗器は、次の手段を採用する。
すなわち、本発明の手洗器は、水を受ける水受け凹部及びこの水受け凹部に臨む排水口を有する手洗器本体と、前記排水口を覆い、前記水受け凹部との間に隙間を空けた状態で、手洗器本体に取り付けられる覆体とを有することを特徴とする。
【００１０】
隙間は、針金，薄い金属板，ティシュなどを入れられない適度に、小さいことが望ましい。
【００１１】
本発明によれば、覆体が手洗器本体との間に隙間を空けた状態で取り付けられているので、例えば蛇口から水道水を出した場合、水道水は、この隙間を介して前記排水口に流れる。
【００１２】
また、排水口が覆体によって覆われるので、覆体を除去しない限り、排水口を閉塞することはできない。この結果、蛇口から出た水道水は排水口から排水される。
【００１３】
覆体は、覆鉢形状をしているので、蛇口からの出水がはじかれることなく、覆体の表面に沿って緩やかに流下する。したがって、本発明の手洗器を使用している人の衣服に、蛇口からの水道水が飛び跳ねて、衣服に浸みてしまうことを抑制できる。
【００１４】
さらに、覆体は、その頂部に頂部形成凹部を有し、この頂部形成凹部には、前記覆体を手洗器本体に対して回転可能に取り付けるための取付治具が取り付けられている。
【００１５】
また、前記覆体の裏面には、覆体と前記水受け凹部との間の空間に位置し、前記水受け凹部に当接しつつ覆体の回転に応じて回転するスクレーパを有するようにすることも可能である。
【００１６】
このようにすれば、スクレーパが水受け凹部に当接しつつ回転するので、水受け凹部の表面にたとえ水あかなどの汚物が付着していても、当該汚物は、スクレーパと当接する範囲において、スクレーパによって除去される。
【００１７】
また、覆体の裏面と手洗器本体の表面との間に泥や砂などの異物が詰まっても、覆体を回転すれば、スクレーパによって泥や砂などの汚物が撹拌され、その結果、固まっている汚物を細分化することができる。
【００１８】
よって、細かくなった汚物を、排水口から流すことができる。なお、汚物を排水管に流すと排水管が汚物で詰まってしまうので、排水口の下流近傍には、ゴミ取り用のスクレーパを設置しておくことが好ましい。
【００１９】
また、凹部を人の掌や拳よりも小さく形成しておけば、心ない者によって取付治具が取り去られてしまうこともない。なお、取り付け治具は、専用の用具に因らなければ、取り外しが出来ないようにすることも考えられる。
【００２０】
さらに、覆体に覆体を回転させるための把手を取り付けておけば、覆体を回転し易くなる。よって、使い勝手がよくなる。
【００２１】
加えて、本発明の手洗器では、覆体の表面に多数の小穴を形成することもできる。このようにすれば、覆体の表面に形成されている小穴経由で、水道水が覆体内部に入る。そして、滴り落ちるようにして、水道水は排水口に向かうようになる。したがって、覆体の表面に落下した水道水の飛散を一層効果的に防止できる。
【００２２】
また、実質的には手洗器に水道水などの水を強制的に貯留できないようにしているが、外見上、覆体によって排水口が覆われて見えない。このため、排水口に何か手段が講じられ、それにより貯水が強制的に止められているという感じがしない。したがって、通常の使用者にも、また不心得ものにも威圧感を与えることがない。そして覆体と手洗器との形状に丸みを持たせることで、優しいソフトな感じを与えることができる。
【発明の効果】
【００２３】
本発明によれば、排水口が覆体によって覆われるので、不心得者により排水口が勝手に閉塞されることはない。この結果、手洗器への貯水を容易に実施できなくなる。したがって、公共の場に設置された手洗器が、不心得者により占有されてしまうことを抑制できる。
【発明を実施するための最良の形態】
【００２４】
以下、この発明を実施するための最良の形態（以下、実施形態）を実施例に基づいて例
示的に説明する。ただし、本実施例に記載されている構成部品の材質、形状その相対配置などは、特に特定的に記載がない限りは、この発明の範囲をそれらに限定する趣旨ではない。
【実施例１】
【００２５】
図１〜４を参照して、本発明の手洗器の実施例１を説明する。
図１及び２に示すように、本発明の手洗器Ａは、手洗器本体１と、手洗器本体１の上面の適所に設置された蛇口２と、手洗器本体１の水受け面１１の底部に位置する排水口３と、排水口３を覆う覆体４とを有する。
【００２６】
手洗器本体１は陶器でできており、図３の平面図に示すように、円形と矩形角形とを組み合わせ、前方が円形で後方が矩形をしたごとき形状をしている。円形部分と四角形部分とをそれぞれ符合１Ｃ及び１Ｓで示す。四角形部分１Ｓの一隅部に蛇口２が取り付けられている。蛇口２は、図示しない水道管５の先端と接続される。
【００２７】
蛇口２から吐き出される水道水は、手洗器本体１の円形部分１Ｃに吐出される。吐出された水道水は排水口３を経由して排水管７に流れる（図４参照）。
【００２８】
手洗器本体は、公共の場所における設置建物、例えばトイレに設置される。
【００２９】
手洗器Ａは、その使用にあたり、円形部分１Ｃの側が手前側であり、四角形部分１Ｓの側が、公共の設置建物の壁面側に位置する向こう側である。
【００３０】
そして、円形部分１Ｃの中央部は、図４の垂直断面図からわかるように、お椀型（料理などに使うボールのごとき形状）をしている。またその底部中央には、排水管７と接続される既述の排水口３が位置する。円形部分１Ｃは、水を受ける水受け凹部として機能する。
【００３１】
排水口３の直下には、排水口３から流れてくる手洗器Ａに貯まったゴミ，泥，砂などの汚物が排水管７の下流に流出しないようにするためのストレーナ８を収容するストレーナ収容管８１が設置されている。
【００３２】
ストレーナ８は、螺子手段９１によってストレーナ収容管８１に固定される。
【００３３】
ストレーナ収容管８１は、収容部本体８１１と、収容部本体８１１に対しストレーナ８を出し入れするための開口８１１ａを閉塞する天井蓋８１２とを有する。
【００３４】
ストレーナ収容管８１を介在して、排水口３と排水管７とが、連結されている。ストレーナ収容管８１は、手洗器本体１に対し、螺合手段９によって一体化されている。排水口３はストレーナ収容管８１の真上に位置し、排水管７はストレーナ収容管８１の下方部分に位置する。
【００３５】
ストレーナ収容管８１は、本実施形体では、円筒形状をしたものを例示する。また、ストレーナ収容管８１に収容されるストレーナ８は、本実施形体では直方体形状をしたものを例示する。しかし、ストレーナ収容管８１の形体に合わせて円筒形をしたものであってもよい。
【００３６】
そして、排水口３の真上に覆体４が位置する。
覆体４は、覆鉢形状をしており、手洗器本体１との間、詳しくは、覆体４を取り付けたときの覆体４の下縁となる部分４１と、手洗器本体１の水受け面１１との間に隙間ｓを空
けた状態で取り付けられる（図４参照）。
【００３７】
隙間ｓは、針金，薄い金属板，ティシュなどを入れられない程度に小さな隙間である。
【００３８】
さらに覆体４は、その頂部に頂部形成凹部４２を有する。頂部形成凹部４２は、覆体４を、手洗器本体１に対して回転可能に取り付けるための取付治具１０が、設置される箇所である。頂部形成凹部４２の中央には、この取付治具１０を通す通し穴４２１が形成されている。
【００３９】
取付治具１０は、ストレーナ収容管８１の天井蓋８１２に植設されたボルト１０１と、ボルト１０１を天井蓋８１２に固着するため前記天井蓋８１２に溶着されているナット１０２とを含む。
【００４０】
ボルト１０１のボルト頭１０１ａを上にして、覆体４の頂部形成凹部４２に形成されている通し穴４２１にボルト１０１を通す。通し穴４２１は、ボルト１０１の軸部１０１ｂよりも大きい。しかし、ボルト頭１０１ａよりも小さい。
【００４１】
そして、ストレーナ収容管８１の天井蓋８１２に固着されたナット１０２にボルト１０１を螺合することで、既述のように、ボルト１０１は、天井蓋８１２に植設される。ボルト１０１の操作は、専用の用具１０３に因らなければ、取り外し出来ないようになっている。ボルト１０１を回転中心として、覆体４は回転可能である。
【００４２】
覆体４の通し穴４２１は、ボルト頭１０１ａよりも小さいため、ボルト１０１を取り外さない限り、覆体４を手洗器本体１から外すことはできない。
【００４３】
また覆体４の裏面４３には、ボルト１０１を中心に外側へ延びる一対のスクレーパ４４を有する。スクレーパ４４は、覆体４と手洗器本体１との間の空間Ｓに位置し、覆体４を回転することで空間Ｓを撹拌するためのものである。
【００４４】
スクレーパ４４は、図３及び４からわかるように、水受け面１１の側が緩やかに湾曲した板形状をしている。いずれのスクレーパ４４も同一面が回転方向に向けられるようにして取り付けられている。またスクレーパ４４は、覆体４を手洗器本体１に取り付けた状態において、手洗器本体１の水受け面１１に一部が当接する（図４参照）。
【００４５】
その接触の程度は、当該当接によって、水受け面１１とスクレーパ４４との間の接触摩擦によって、覆体４の回転が妨げられない程度に調整されたわずかなものである。
【００４６】
さらに覆体４の上面における周縁近傍には、覆体４を回転させるための把手４６を有する。
【００４７】
次にこのような手洗器Ａの作用効果を述べる。
手洗器Ａによれば、覆体４が手洗器本体１との間に隙間ｓを空けた状態で取り付けられているので、蛇口２から出た水道水は、この隙間ｓを介して排水口３に流れる。
【００４８】
また、排水口３が覆体４によって覆われるので、覆体４を除去しない限り、排水口３を閉塞することはできない。この結果、水道水は排水口３から確実に排水される。
【００４９】
覆体４は、覆鉢形状をしているので、蛇口２からの出水は、弾かれることなく、覆体４の表面に沿って緩やかに流下する。したがって、手洗器Ａを使用している人の衣服に蛇口２からの水道水が飛び跳ねて、衣服に浸みてしまうことを抑制できる。
【００５０】
さらにスクレーパ４４が、水受け凹部である円形部分１Ｃに当接しつつ回転するので、円形部分１Ｃの水受け面１１がスクレーパ４４と当接する範囲において、水受け面１１についている水あかなどをスクレーパ４４によって除去できる。なおスクレーパ４４が、水受け面１１の曲率に沿って湾曲する割合を高めることで一層効果的に水あかを除去することができるのは勿論である。
【００５１】
さらに、覆体４を把手４６を指で摘んで回転すると、スクレーパ４４によって覆体４と手洗器本体１との間の空間Ｓが撹拌されるので、当該空間Ｓに泥や砂などの異物が詰まってしまっても、固まっている異物を細分化できる。
【００５２】
細かくなった汚物は排水口３から流すことができる。ただし、そのまま異物を配水管７に流すと配水管７は詰まってしまうが、排水口３の下流近傍にあるストレーナ８によって、ゴミ等の汚物は収集されるので、心配はない。
【００５３】
また、頂部形成凹部４２は人の掌や拳よりも小さく、頂部形成凹部４２には手が入らないため、心ない者によって取付治具１０が取り去られ、その結果、覆体４も取り払われてしまうこともない。
【００５４】
このように手洗器Ａによれば、排水口３が覆体４によって覆われるので、不心得者により排水口３が勝手に閉塞されることがない。この結果、手洗器Ａへの貯水を容易に実施できなくなる。したがって、公共の場に設置された手洗器Ａが、不心得者により占有されてしまうことを抑制できる。
【００５５】
また、実質的には手洗器Ａに水道水を強制的に貯留できないようにしているが、外見上、覆体４によって排水口３が覆われて見えない。このため、排水口３に何か手段が講じられることにより、貯水が強制的に止められている感じがしない。このため、貯留が防止されていても、通常の使用者にも、また不心得ものに対しても威圧感を与えることがない。覆体４と手洗器Ａとの丸み形状によって、むしろ優しいソフトな感じを与えることができる。
【実施例２】
【００５６】
図５を参照して、本発明の手洗器Ａの実施例２を説明する。
実施例２が実施例１と相違する点は、覆体４の表面に多数の小穴１１０が形成されていることだけである。その他の点は実施例１と同じである。よって、実施例１と同一箇所には、同一符号を付して説明を省略する。
【００５７】
小穴１１０を覆体４に形成することで、覆体４の表面に形成されている小穴経由で水道水が覆体４内部に入る。そして、水道水は、小穴１１０から滴り落ちるようにして、排水口３に向かうようになる。したがって、覆体４の表面に落下した水道水の飛散を一層効果的に抑制できる。
【図面の簡単な説明】
【００５８】
【図１】本発明に係る手洗器の実施例１の全体斜視図である。
【図２】図１の分解断面図である。
【図３】図１の平面図である。
【図４】図２の組み立て断面図である。
【図５】本発明に係る手洗器の実施例２の全体斜視図である。
【符号の説明】
【００５９】
Ａ  手洗器
１  手洗器本体
１Ｃ  円形部分
１Ｓ  四角形部分
２  蛇口
３  排水口
４  覆体
５  水道管
７  配水管
８  ストレーナ
９  螺合手段
１０  取付治具
１１  水受け面
４１  下縁となる部分
４２  頂部形成凹部
４３  裏面
４４  スクレーパ
４６  把手
８１  ストレーナ収容管
９１  螺子手段
１０１  ボルト
１０１ａ  ボルト頭
１０１ｂ  軸部
１０２  ナット
１０３  用具
１１０  小穴
４２１  通し穴
８１１  収容部本体
８１１ａ  開口
８１２  天井蓋
Ｓ  空間
ｓ  隙間
【図１】
0005103073.tif 000002
【図２】
0005103073.tif 000003
【図３】
0005103073.tif 000004
【図４】
0005103073.tif 000005
【図５】
0005103073.tif 000006